(57)【要約】  受信されたダウンリンク（DL）またはアップリンク（UL）のMAPメッセージの巡回冗長検査（CRC）が失敗する場合であっても、直交周波数分割多重化（OFDM）または直交周波数分割多元接続（OFDMA）フレーム中のMAP情報要素（MAP IE）を復号する方法および装置が提供されることができる。MAPメッセージ中のCRC失敗またはデータバーストに関係なく、MAPメッセージ中のMAP IEを構文解析し続けることによって、パケット誤り率を低減し、ワイヤレスシステムのスループットを改善することができる。【選択図】図8
2011523536.tif 000002
【特許請求の範囲】
【請求項１】
MAPメッセージを受信することと、
前記MAPメッセージに対し誤り検査を行なうことと、および
前記誤り検査が失敗したかどうかに関係なく、前記MAPメッセージを構文解析してMAP情報要素（IE）のインターバル使用コード(IUC)に基づく複数のMAP IEに変換することと、
を具備する方法。
【請求項２】
前記MAPメッセージは、アップリンク（UL）MAPメッセージであり、前記MAP IEは、UL-MAP IEであり、および前記IUCは、アップリンクIUC（UIUC）である、請求項1記載の方法。
【請求項３】
前記UL-MAPメッセージを構文解析することは、  
(a)前記UL-MAPメッセージのための一連のビット中のビットインデックスを初期化することと、
(b)前記UL-MAPメッセージのための前記ビットインデックスからスタートして前記一連のビット中のUIUCビットを読むことと、
(c)もし前記UIUCビットがデータバースト割当てを示したら、前記UIUCビットに対応する前記一連のビット中のUL-MAP IEビットにしたがってULデータバーストのために1つまたは複数のスロットを割り当てることと、
(d)もし前記UIUCビットがデータバースト割当てを示さなかったら、前記UIUCビットに対応する前記UL-MAP IEビットを構文解析することと、
(e)前記ビットインデックスを、前記UL-MAP IEビットの長さと前記UIUCビットの長さとの和によって更新することと、
(f)前記UL-MAPメッセージのための前記一連のビット中にUIUCビットがなくなるまでステップ(b)ないし(e)を繰り返すことと
を具備する、請求項2記載の方法。
【請求項４】
前記MAPメッセージは、ダウンリンク（DL）MAPメッセージであり、前記MAP IEはDL-MAP IEであり、および前記IUCは、ダウンリンクIUC（DIUC）である、請求項1記載の方法。
【請求項５】
前記DL-MAPメッセージを構文解析することは、
(a)前記DL-MAPメッセージのための一連のビット中のビットインデックスを初期化することと、
(b)前記DL-MAPメッセージのための前記ビットインデックスからスタートして前記一連のビット中のDIUCビットを読むことと、
(c)もし前記DIUCビットがデータバースト割当てを示したら、前記DIUCビットに対応する前記一連のビット中のDL-MAP IEビットにしたがってDLデータバーストを復号することと、
(d)もし前記DIUCビットがデータバースト割当てを示さなかったら、前記DIUCビットに対応する前記DL-MAP IEビットを構文解析することと、
(e)前記ビットインデックスを、前記DL-MAP IEビットの長さと前記DIUCビットの長さとの和によって更新することと、
(f)前記DL-MAPメッセージのための前記一連のビット中にDIUCビットがなくなるまでステップ(b)ないし(e)を繰り返すことと
を具備する、請求項4記載の方法。
【請求項６】
データパケットを形成するために、前記DL-MAP IEのうちの1つに対応するDLデータバーストを復号することをさらに具備する、請求項4記載の方法。
【請求項７】
前記データパケットに対し巡回冗長検査（CRC）を行なうことと、および
前記データパケットに対する前記CRCが失敗したら、前記データパケットを廃棄することと
をさらに具備する、請求項6記載の方法。
【請求項８】
前記DL-MAP IEのうちの1つに対応するDLデータバーストを復号することと、ここにおいて、前記DLデータバーストは、アップリンク（UL）MAPメッセージである、
前記UL-MAPメッセージに対し誤り検査を行なうことと、および
前記UL-MAP誤り検査が失敗したかどうかに関係なく、前記UL-MAPメッセージを構文解析してUL-MAP情報要素（IE）のインターバル使用コード(UIUC)に基づく複数のUL-MAP IEに変換することと
をさらに具備する、請求項4記載の方法。
【請求項９】
前記誤り検査は、巡回冗長検査（CRC）を具備する、請求項1記載の方法。
【請求項１０】
前記MAPメッセージは、IEEE802.16ファミリー標準の1つまたは複数の標準に準拠するフォーマットを有する、請求項1記載の方法。
【請求項１１】
ワイヤレス通信の受信機であって、
前記受信機によって受信された信号のMAPメッセージに対し誤り検査を行なうように構成されている誤り検査論理と、および
誤り検査が失敗したかどうかに関係なく、前記MAPメッセージを構文解析してMAP情報要素（IE）のインターバル使用コード(IUC)に基づく複数のMAP IEに変換するように構成されている構文解析論理と
を具備する受信機。
【請求項１２】
前記MAPメッセージは、ダウンリンク（DL）MAPメッセージであり、前記MAP IEは、DL-MAP IEであり、および前記IUCは、ダウンリンクIUC（DIUC）である、請求項11の受信機。
【請求項１３】
前記構文解析論理は、  
(a)前記DL-MAPメッセージのための一連のビット中のビットインデックスを初期化することと、
(b)前記DL-MAPメッセージのための前記ビットインデックスからスタートして前記一連のビット中のDIUCビットを読むことと、
(c)もし前記DIUCビットがデータバースト割当てを示したら、前記DIUCビットに対応する前記一連のビット中のDL-MAP IEビットにしたがってDLデータバーストを復号することと、
(d)もし前記DIUCビットがデータバースト割当てを示さなかったら、前記DIUCビットに対応する前記DL-MAP IEビットを構文解析することと、
(e)前記ビットインデックスを、前記DL-MAP IEビットの長さと前記DIUCビットの長さとの和によって更新することと、
(f)前記DL-MAPメッセージのための前記一連のビット中にDIUCビットがなくなるまでステップ(b)ないし(e)を繰り返すことと
を行うように構成されている、請求項12記載の受信機。
【請求項１４】
前記DL-MAP IEのうちの1つに対応するDLデータバーストを復号するように構成されている復号論理と、ここにおいて、前記DLデータバーストは、アップリンク（UL）MAPメッセージである、
前記UL-MAPメッセージに対し誤り検査を行なうように構成されているUL-MAP 誤り検査論理と、および
前記UL-MAP誤り検査が失敗したかどうかに関係なく、前記UL-MAPメッセージを構文解析してUL-MAP情報要素（IE）のインターバル使用コード(UIUC)に基づく複数のUL-MAP IEに変換するように構成されているUL-MAP構文解析論理と
をさらに具備する請求項12記載の受信機。
【請求項１５】
前記MAPメッセージは、IEEE 802.16ファミリー標準の1つまたは複数の標準に準拠するフォーマットを有する、請求項11記載の受信機。
【請求項１６】
ワイヤレス通信のための装置であって、
MAPメッセージを受信するための手段と、
MAPメッセージに対し誤り検査を行なうための手段と、および
前記誤り検査が失敗したかどうかに関係なく、前記MAPメッセージを構文解析してMAP情報要素（IE）のインターバル使用コード(IUC)に基づく複数のMAP IEに変換するための手段と
を具備する装置。
【請求項１７】
前記MAPメッセージは、アップリンク（UL）MAPメッセージであり、前記MAP IEは、UL-MAP IEであり、および前記IUCは、アップリンクIUC（UIUC）である、請求項16記載の装置。
【請求項１８】
前記MAPメッセージは、ダウンリンク（DL）MAPメッセージであり、前記MAP IEは、DL-MAP IEであり、およびIUCは、ダウンリンクIUC（DIUC）である、請求項16記載の装置。
【請求項１９】
前記MAPメッセージは、IEEE 802.16ファミリー標準の1つまたは複数の標準に準拠するフォーマットを有する、請求項16記載の受信機。
【請求項２０】
MAPメッセージを有する信号を受信するための受信機フロントエンドと、
前記MAPメッセージに対し誤り検査を行なうように構成されている誤り検査論理と、および
前記誤り検査が失敗したかどうかに関係なく、前記MAPメッセージを構文解析してMAP情報要素（IE）のインターバル使用コード(IUC)に基づく複数のMAP IEに変換するように構成されている構文解析論理と
を具備する移動装置。
【請求項２１】
前記MAPメッセージは、アップリンク（UL）MAPメッセージであり、前記MAP IEは、UL-MAP IEであり、およびIUCは、アップリンクIUC（UIUC）である、請求項20記載の装置。
【請求項２２】
前記構文解析論理は、
(a)前記UL-MAPメッセージのための一連のビット中のビットインデックスを初期化することと、
(b)前記UL-MAPメッセージのための前記ビットインデックスからスタートして前記一連のビット中のUIUCビットを読むことと、
(c)もし前記UIUCビットがデータバースト割当てを示したら、前記UIUCビットに対応する前記一連のビット中のUL-MAP IEビットにしたがってULデータバーストのための１つまたは複数のスロットを割り当てることと、
(d)もし前記UIUCビットがデータバースト割当てを示さなかったら、前記UIUCビットに対応する前記UL-MAP IEビットを構文解析することと
(e)前記ビットインデックスを、前記UL-MAP IEビットの長さと前記UIUCビットの長さとの和によって更新することと
(f)前記UL-MAPメッセージのための前記一連のビット中にUIUCビットがなくなるまでステップ(b)ないし(e)を繰り返すことと
を行うように構成されている、請求項21記載の移動装置。
【請求項２３】
前記MAPメッセージは、IEEE 802.16ファミリー標準の1つまたは複数の標準に準拠するフォーマットを有する、請求項20記載の移動装置。
【請求項２４】
プロセッサによって実行されると、
MAPメッセージに対し誤り検査を行なうことと、および
前記誤り検査が失敗したかどうかに関係なく、前記MAPメッセージを構文解析してMAP情報要素（IE）のインターバル使用コード(IUC)に基づく複数のMAP IEに変換することと
を具備するオペレーションを行うMAPメッセージを解釈するプログラムを内蔵するコンピュータ可読媒体。
【請求項２５】
前記MAPメッセージは、ダウンリンク（DL）MAPメッセージであり、前記MAP IEは、DL-MAP IEであり、およびIUCは、ダウンリンクIUC（DIUC）である、請求項24記載のコンピュータ可読媒体。
【請求項２６】
前記DL-MAPメッセージを構文解析することは、  
(a)前記DL-MAPメッセージのための一連のビット中のビットインデックスを初期化することと、
(b)前記DL-MAPメッセージのための前記ビットインデックスからスタートして前記一連のビット中のDIUCビットを読むことと、
(c)もし前記DIUCビットがデータバースト割当てを示したら、前記DIUCビットに対応する前記一連のビット中のDL-MAP IEビットにしたがってDLデータバーストを復号することと、
(d)もし前記DIUCビットがデータバースト割当てを示さなかったら、前記DIUCビットに対応する前記DL-MAP IEビットを構文解析することと、
(e)前記ビットインデックスを、前記DL-MAP IEビットの長さと前記DIUCビットの長さとの和によって更新することと、
(f)前記DL-MAPメッセージのための前記一連のビット中にDIUCビットがなくなるまでステップ(b)ないし(e)を繰り返すことと
を具備する、請求項25記載のコンピュータ可読媒体。
【請求項２７】
データパケットを形成するために前記DL-MAP IEのうちの1つに対応するDLデータバーストを復号することと、
データパケットに対し巡回冗長検査（CRC）を行なうことと、および
前記データパケットに対するCRCが失敗したら、前記データパケットを廃棄することと
をさらに具備する請求項25記載のコンピュータ可読媒体。
【請求項２８】
前記DL-MAP IEのうちの1つに対応するDLデータバーストを復号することと、ここにおいて、前記DLデータバーストは、アップリンク（UL）MAPメッセージである、
前記UL-MAPメッセージに対し誤り検査を行なうことと、および、
前記UL-MAP誤り検査が失敗したかどうかに関係なく、前記UL-MAPメッセージを構文解析してUL-MAP情報要素（IE）のインターバル使用コード(UIUC)に基づく複数のUL-MAP IEに変換することと
をさらに具備する請求項25記載のコンピュータ可読媒体。
【請求項２９】
前記MAPメッセージは、IEEE 802.16ファミリー標準の1つまたは複数の標準に準拠するフォーマットを有する、請求項24記載のコンピュータ可読媒体。
【発明の詳細な説明】
【技術分野】
【０００１】
本件開示のある実施形態は、一般にワイヤレス通信に関係し、さらに詳細には直交周波数分割多重化（OFDM）または直交周波数分割多元接続（OFDMA）フレームにおけるMAP情報要素（MAP IE）の復号に関係する。
【背景技術】
【０００２】
IEEE 802.16環境下のOFDMおよびOFDMAワイヤレス通信システムは、多数のサブキャリアの周波数の直交性に基づいて、システム内のサービスのために登録されているワイヤレス装置（すなわち移動局）と通信することを目的として、基地局のネットワークを使用するものであって、当該システムは、マルチパスフェージングや干渉に対する抵抗等のワイドバンドワイヤレス通信のための多くの技術的特長を実現するために実装されることができる。各々の基地局は、移動局へおよび移動局からデータを伝送する無線周波数（RF）信号を発信し受信する。基地局からのそのようなRF信号は、様々な通信管理機能のために、データロード（音声および他のデータ）だけでなく、オーバーヘッドロードを含んでいる。各々の移動局は、データを処理する前に、各々の受信信号のオーバーヘッドロード中の情報を処理する。
【０００３】
OFDMAシステムに関する現行バージョンのIEEE 802.16x標準環境下において、基地局からのあらゆるダウンリンクサブフレームは、プリアンブルと、プリアンブルに続くフレーム制御ヘッダ（FCH）と、およびFCHに続くオーバーヘッドロードの一部としてのダウンリンクマップ（DL-MAP）とを含んでいる。プリアンブルは、セルおよびセル内のセルセクタを探索するための情報と、移動局を時間および周波数の両面で受信ダウンリンク信号と同期化するための情報とを含んでいる。ダウンリンクサブフレームのFCH部分は、ダウンリンク送信フォーマットに関する情報（例えばDL-MAP）と、ダウンリンクデータを受信するための制御情報（例えば現在のダウンリンクフレーム中のサブキャリア割当て）とを有する24ビットを含んでいる。DL-MAPは、OFDM／OFDMAフレーム中のDLデータバーストが正しく復号されるように、ダウンリンクデータ領域割当てとバーストプロファイル情報とを指定する。最初のDLデータバーストは、典型的には、フレーム単位ベースのアップリンク送信のための同様の割当てとバーストプロファイル情報とを含むアップリンクMAP (UL-MAP)である。
【０００４】
したがって、移動局のような受信機は、DL-MAPの位置を決定するために最初にFCHを復号し、対応する位置のDL-MAPを復号し、そして最初のDLデータバーストとしてUL-MAPを含むデータを抽出する。DL-MAP（UL-MAP）中の情報の性質により、DL-MAP（UL-MAP）の受信が失敗するまたはDL-MAP（UL-MAP）が誤って復号されると、受信機側の後続のダウンリンク（アップリンク）オペレーションは、適切に実行されることができなくなる。したがって、OFDMおよびOFDMAシステムオペレーションにとってDL-MAPおよびUL-MAPの適切な解釈が重要である。
【発明の概要】
【０００５】
本件開示のある実施形態は、MAPメッセージの巡回冗長検査（CRC）の失敗に関係なく、直交周波数分割多重化（OFDM）または直交周波数分割多元接続（OFDMA）フレームにおけるMAP情報要素（MAP IE）を復号することに関係する。CRCの失敗に関係なく、MAPメッセージ中のMAP IEを構文解析し続けることによって、パケット誤り率を低減し、システムスループットを改善することができる。
【０００６】
本件開示のある実施形態は、ある方法を提供する。この方法は、MAPメッセージを受信することと、MAPメッセージに対し誤り検査を行なうことと、誤り検査が失敗したかどうかに関係なく、MAPメッセージを構文解析してMAP情報要素（IE）のインターバル使用コード(IUC)に基づく複数のMAP IEに変換することとを一般的に含む。
【０００７】
本件開示のある実施形態は、ワイヤレス通信のためのある受信機を提供する。この受信機は、受信機によって受信される信号のMAPメッセージに対して誤り検査を行うように構成されている誤り検査論理と、誤り検査が失敗であったかどうかに関係なく、MAPメッセージを構文解析してMAP情報要素（IE）のインターバル使用コード(IUC)に基づく複数のMAP IEに変換するように構成されている構文解析論理とを一般的に含む。
【０００８】
本件開示のある実施形態は、ワイヤレス通信のためのある装置を提供する。この装置は、MAPメッセージを受信するための手段と、MAPメッセージに対し誤り検査を行なうための手段と、および誤り検査が失敗したかどうかに関係なく、前記MAPメッセージを構文解析してMAP情報要素（IE）のインターバル使用コード(IUC)に基づく複数のMAP IEに変換するための手段とを一般的に含む。
【０００９】
本件開示のある実施形態は、移動装置を提供する。この移動装置は、MAPメッセージを有する信号を受信するための受信機フロントエンドと、MAPメッセージに対し誤り検査を行なうように構成されている誤り検査論理と、および誤り検査が失敗したかどうかに関係なく、前記MAPメッセージを構文解析してMAP情報要素（IE）のインターバル使用コード(IUC)に基づく複数のMAP IEに変換するように構成されている構文解析論理とを一般的に含む。
【００１０】
本件開示のある実施形態は、MAPメッセージを解釈するプログラムであって、プロセッサによって実行されるとあるオペレーションを行うプログラムを内蔵するコンピュータ可読媒体である。このオペレーションは、MAPメッセージに対し誤り検査を行なうことと、誤り検査が失敗したかどうかに関係なく、MAPメッセージを構文解析してMAP情報要素（IE）のインターバル使用コード(IUC)に基づく複数のMAP IEに変換することを一般的に含む。
【図面の簡単な説明】
【００１１】
本件開示の上述の特徴が詳細に理解されることができるように、実施形態に対する言及によってさらに具体的な記載（上で簡潔な要約が与えられている）が提供されることができる。そのような実施形態のうちのいくつかが添付の図面に例示されている。しかしながら、添付の図面は、あくまで本件開示のある典型的実施形態を例示するものであって、その範囲を制限するものと考えてはならないということが理解されるべきである。というのは、本件記載は、他の等しく効果的な実施形態に対しても妥当するからである。
【図１】図1は、本件開示のある実施形態に準拠するワイヤレス通信システムの一例を例示する。
【図２】図2は、本件開示のある実施形態に準拠するワイヤレス装置中で利用されることができる様々なコンポーネントを例示する。
【図３】図3は、本件開示のある実施形態に準拠する直交周波数分割多重化および直交周波数分割多元接続（OFDM／OFDMA）技術を利用するワイヤレス通信システム内で使用されることができる送信機の一例および受信機の一例を例示する。
【図４Ａ】図4Ａは、時分割多重（TDD）のためのOFDM／OFDMAフレームの一例と、そこに含まれるフレーム制御ヘッダ（FCH）のフォーマットとを例示する。ここにおいて、FCHは、本件開示のある実施形態に準拠するダウンリンクのフレームプリフィックス（DLFP）情報を含んでいる。
【図４Ｂ】図4Ｂは、時分割多重（TDD）のためのOFDM／OFDMAフレームの一例と、そこに含まれるフレーム制御ヘッダ（FCH）のフォーマットとを例示する。ここにおいて、FCHは、本件開示のある実施形態に準拠するダウンリンクのフレームプリフィックス（DLFP）情報を含んでいる。
【図５Ａ】図5Aは、本件開示のある実施形態に準拠する一般的DL-MAP情報要素（IE）を有するダウンリンクMAP（DL-MAP）メッセージ中のエントリーのフォーマットとビットサイズとを例示する。
【図５Ｂ】図5Bは、本件開示のある実施形態に準拠する一般的DL-MAP情報要素（IE）を有するダウンリンクMAP（DL-MAP）メッセージ中のエントリーのフォーマットとビットサイズとを例示する。
【図６Ａ】図6Aは、本件開示のある実施形態に準拠する異なるタイプのDL-MAP IEを例示する。
【図６Ｂ】図6Ｂは、本件開示のある実施形態に準拠する異なるタイプのDL-MAP IEを例示する。
【図６Ｃ】図6Cは、本件開示のある実施形態に準拠する異なるタイプのDL-MAP IEを例示する。
【図７Ａ】図7Aは、本件開示のある実施形態に準拠する図6ＡないしＣ中の前記異なるタイプのDL-MAP IEに係るエレメントのビットサイズを例示する。
【図７Ｂ】図7Ｂは、本件開示のある実施形態に準拠する図6ＡないしＣ中の前記異なるタイプのDL-MAP IEに係るエレメントのビットサイズを例示する。
【図７Ｃ】図7Cは、本件開示のある実施形態に準拠する図6ＡないしＣ中の前記異なるタイプのDL-MAP IEに係るエレメントのビットサイズを例示する。
【図８】図8は、本件開示のある実施形態に準拠するDL-MAP中のDL-MAP IEを構文解析するオペレーションの一例のフローチャートである。
【図９Ａ】図9Aは、本件開示のある実施形態に準拠するアップリンクMAP（UL-MAP）メッセージ中のエントリーのフォーマットとビットサイズとを例示する。
【図９Ｂ】図9Bは、本件開示のある実施形態に準拠するアップリンクMAP（UL-MAP）メッセージ中のエントリーのフォーマットとビットサイズとを例示する。
【図１０】図10は、本件開示のある実施形態に準拠する異なるタイプのUL-MAP IEとOFDMAアップリンクのインターバル使用コード（UIUC）値のテーブルとを例示する。
【図１１Ａ】図11Ａは、本件開示のある実施形態に準拠する図10中の異なるタイプのUL-MAP IEに係るエレメントのビットサイズを例示する。
【図１１Ｂ】図11Ｂは、本件開示のある実施形態に準拠する図10中の異なるタイプのUL-MAP IEに係るエレメントのビットサイズを例示する。
【図１１Ｃ】図11Ｃは、本件開示のある実施形態に準拠する図10中の異なるタイプのUL-MAP IEに係るエレメントのビットサイズを例示する。
【図１１Ｄ】図11Ｄは、本件開示のある実施形態に準拠する図10中の異なるタイプのUL-MAP IEに係るエレメントのビットサイズを例示する。
【図１１Ｅ】図11Ｅは、本件開示のある実施形態に準拠する図10中の異なるタイプのUL-MAP IEに係るエレメントのビットサイズを例示する。
【図１２】図12は、本件開示のある実施形態に準拠するUL-MAP中のUL-MAP IEを構文解析するオペレーションの一例のフローチャートである。
【図１３】図13は、本件開示のある実施形態に準拠するOFDM／OFDMAフレーム中のMAPからMAP IEを構文解析するオペレーションの一例のフローチャートである。
【図１３Ａ】図13Ａは、本件開示のある実施形態に準拠する図13のMAP IEを構文解析するオペレーションの一例に対応する手段のブロック図である。
【発明の詳細な説明】
【００１２】
本件開示のある実施形態は、受信ダウンリンク（DL）またはアップリンク（UL）MAPメッセージの巡回冗長検査（CRC）が失敗する場合であっても、直交周波数分割多重化（OFDM）または直交周波数分割多元接続（OFDMA）フレーム中のMAP情報要素（MAP IE）を復号するための技術と装置を提供する。MAPメッセージ中のCRC失敗またはデータバーストに関係なく、MAPメッセージ中のMAP IEを構文解析し続けることによって、パケット誤り率を低減し、ワイヤレスシステムのスループットを改善することができる。
【００１３】
例示的ワイヤレス通信システム
【００１４】
本件開示の方法および装置は、ブロードバンドのワイヤレス通信システム中で利用されることができる。「ブロードバンドのワイヤレス」という語は、ある与えられた領域上でワイヤレス、音声、インターネット、および/またはデータネットワークアクセスを提供する技術をいう。
【００１５】
Worldwide Interoperability for Microwave Accessの略語であるWiMAXは、長距離上で高いスループットのブロードバンド接続を提供する標準ベースのブロードバンドワイヤレス技術である。今日、WiMAXのアプリケーションには、主に2つのものがある。1つは固定WiMAXであり、他の1つはモバイルWiMAXである。固定WiMAXアプリケーションは、例えば、家庭やビジネスへのブロードバンドアクセスを可能にするポイント・ツー・ポイントである。モバイルWiMAXは、ブロードバンド速度でのセルラーネットワークの完全な移動性を提供する。
【００１６】
モバイルWiMAXは、OFDM（直交周波数分割多重化）およびOFDMA（直交周波数分割多元接続）技術をベースとしている。OFDMは、最近、様々な高データレート通信システムに広い適用を見出しているデジタル多重キャリア変調技術である。OFDMを用いることによって、送信ビットストリームは、多数の低レートのサブストリームに分割される。各々のサブストリームは、多数の直交サブキャリアの１つで変調され、複数の並列サブチャネルのうちの1つの上で送られる。OFDMAは、ユーザが、異なるタイムスロットにおいてサブキャリアを割り当てられる多元接続技術である。OFDMAは、広く多様なアプリケーション、データレート、およびサービス品質要件を多くのユーザに融通しうるフレキシブルな多重アクセス技術である。
【００１７】
ワイヤレスのインターネットおよび通信における急速な成長は、ワイヤレス通信サービス分野における高データレートに対する需要を高めることになった。OFDM／OFDMAシステムは、今日、最も有望な研究領域のうちの1つとして、またワイヤレス通信の次世代の重要な技術としてみなされている。このことは、OFDM／OFDMA変調スキームが、従来の単一キャリア変調スキームに比べて変調効率、スペクトル効率、柔軟性および強マルチパス耐性のような多くの利点を提供することができるという事実によっている。
【００１８】
IEEE 802.16xは、固定および移動のブロードバンドワイヤレスアクセス（BWA）システムのための空間インターフェースを定義する新規標準機構である。これらの標準は、少なくとも4つの異なる物理レイヤ（PHY）と1つのメディアアクセス制御（MAC）レイヤとを定義している。4つの物理レイヤのうちOFDM物理レイヤおよびOFDMA物理レイヤは、それぞれ、固定および移動BWAエリアにおいて最もポピュラーである。
【００１９】
図1は、ワイヤレス通信システム100の一例を例示する。ワイヤレス通信システム100は、ブロードバンドのワイヤレス通信システムであってよい。ワイヤレス通信システム100は、各々のセルが基地局104によってサービスされる多数のセル102に対し通信を提供する。基地局104は、ユーザ端末106と通信をする固定局であってよい。基地局104は、アクセスポイント、ノードＢまたは他のなんらかの用語で代替的に呼ばれてもよい。
【００２０】
図1は、システム100全体にわたって分散した様々なユーザ端末106を描いている。ユーザ端末106は、固定（すなわち静止）であってもよいし、または移動であってもよい。ユーザ端末106は、遠隔ステーション、アクセス端末、端末、加入者ユニット、移動局、局、ユーザ設備などと代替的に呼ばれてもよい。ユーザ端末106は、セルラーフォン、携帯情報端末（PDA）、ハンドヘルド装置、ワイヤレスモデム、ラップトップコンピュータ、パソコンなどのようなワイヤレス装置であってもよい。
【００２１】
基地局104とユーザ端末106との間のワイヤレス通信システム100中の送信のために、様々なアルゴリズムおよび方法が使用されることができる。例えば、信号は、OFDM／OFDMA技術にしたがって、基地局104とユーザ端末106との間で送信受信されることができる。この場合においては、ワイヤレス通信システム100は、OFDM／OFDMAシステムと呼ばれてもよい。
【００２２】
基地局104からユーザ端末106への送信を促進する通信リンクは、ダウンリンク108と呼ばれ、またユーザ端末106から基地局104への送信を促進する通信リンクは、アップリンク110と呼ばれてもよい。もしくは、ダウンリンク108は、順方向リンクまたは順方向チャネルと呼ばれ、またアップリンク110は、逆方向リンクまたは逆方向チャネルと呼ばれてもよい。
【００２３】
セル102は、多数のセクタ112に分割されることができる。セクタ112は、セル102内の物理カバレッジエリアである。ワイヤレス通信システム100内の基地局104は、セル102の特定のセクタ112内の電力フローを集中するアンテナを利用してもよい。そのようなアンテナは、指向性アンテナと呼ばれてもよい。
【００２４】
図2は、ワイヤレス装置202に利用されることができる様々なコンポーネントを例示する。ワイヤレス装置202は、本件明細書記載の様々な方法を実現するように構成されることができるデバイスの一例である。ワイヤレス装置202は、基地局104であってもよく、またはユーザ端末106であってもよい。
【００２５】
ワイヤレス装置202は、ワイヤレス装置202のオペレーションを制御するプロセッサ204を含んでもよい。プロセッサ204はまた、中央処理装置（CPU）と呼ばれてもよい。メモリ206は、読み出し専用メモリ（ROM）とランダムアクセスメモリ（RAM）の両方を含んでもよく、このメモリ206は、プロセッサ204に命令およびデータを提供する。メモリ206の一部はまた、不揮発性のランダムアクセスメモリ（NVRAM）を含んでもよい。プロセッサ204は、典型的には、メモリ206内に格納されたプログラム命令に基づいて論理算術演算を行なう。メモリ206中の命令は、本件明細書記載の方法を実現するように実行可能であってもよい。
【００２６】
ワイヤレス装置202はまた、ワイヤレス装置202とリモート位置との間のデータの送信および受信を可能にする送信機210および受信機212を含んでもよいハウジング208を含んでもよい。送信機210および受信機212は、トランシーバ214に統合されてもよい。アンテナ216は、ハウジング208に取り付けられて、トランシーバ214と電気的に接続されてもよい。ワイヤレス装置202はまた、多数の送信機、多数の受信機、多数のトランシーバ、および／または多数のアンテナ（不図示）を含んでもよい。
【００２７】
ワイヤレス装置202はまた、トランシーバ214によって受信される信号のレベルを検知し計量する目的達成のために使用されることができる単一の信号検出器218を含んでもよい。信号検出器218は、合計エネルギー、パイロットサブキャリアからのパイロットエネルギーまたはプリアンブルシンボルからの信号エネルギー、電力スペクトル密度、およびその他の信号のような信号を検知してもよい。ワイヤレス装置202はまた、信号処理過程において使用されるデジタル信号プロセッサ（DSP）220を含んでもよい。
【００２８】
ワイヤレス装置202の様々なコンポーネントは、バスシステム222によっていっしょに連結されてもよい。このバスシステム222は、電力バス、制御信号バスおよびステータス信号バス、並びにデータバスを含んでもよい。
【００２９】
図3は、OFDM／OFDMAを利用するワイヤレス通信システム100内で使用されることができる送信機302の一例を例示する。送信機302の部分は、ワイヤレス装置202の送信機210に実装されてもよい。送信機302は、ダウンリンク108上でユーザ端末106へデータ306を送信するため、基地局104中に実装されてもよい。送信機302も、アップリンク110上で基地局104へデータ306を送信するため、ユーザ端末106中に実装されてもよい。
【００３０】
送信されるべきデータ306は、直並列（S/P）変換器308への入力として提供されているように図示されている。S/P変換器308は、送信データをＮ個の並列データストリーム310に分割してもよい。
【００３１】
Ｎ個の並列データストリーム310は、その後、マッパ312への入力として提供されることができる。マッパ312は、Ｎ個の並列データストリーム310をN個のコンステレーション点上にマップしてもよい。マッピングは、バイナリ位相偏移変調（BP/SK）、4位相偏移変調（QP/SK）、8位相偏移変調（8P/SK）、直交振幅変調（QAM）等のなんらかの変調コンステレーションを使用して行われてもよい。こうして、マッパ312は、Ｎ個の並列シンボルストリーム316を出力してよい。ここにおいて、各々のシンボルストリーム316は、逆高速フーリエ変換（IFFT）320のＮ個の直交サブキャリアのうちの1つに対応している。これらのＮ個の並列シンボルストリーム316は、周波数ドメインにおいて表わされ、IFFTコンポーネント320によってＮ個の並列時間ドメインのサンプルストリーム318に変換されることができる。
【００３２】
次に、技術用語についての簡潔な注釈を提供する。周波数ドメインのＮ個の並列変調は、周波数ドメインのＮ個の変調シンボルに等しく、その変調シンボルは、周波数ドメインのＮマッピングおよびＮ点IFFTに等しく、このＮマッピングおよびＮ点IFFTは、時間ドメインの1つの（有用な）OFDMシンボルに等しく、このシンボルは、時間ドメインのN個のサンプルに等しい。時間ドメインの1つのOFDMシンボルNsは、Ncp（OFDMシンボル1つあたりのガードサンプルの数）とＮ（OFDMシンボル1つあたりの有用なサンプルの数）との和に等しい。
【００３３】
Ｎ個の並列時間ドメインのサンプルストリーム318は、並直列（P/S）変換器324によってOFDM／OFDMAシンボルストリーム322に変換されることができる。ガード挿入コンポーネント326は、OFDM／OFDMAシンボルストリーム322中の連続するOFDM／OFDMAシンボルの間にガードインターバルを挿入してもよい。ガード挿入コンポーネント326の出力は、次に、無線周波数（RF）のフロントエンド328によって、所望の送信周波数帯域にアップコンバートされることができる。アンテナ330は、次に、結果の信号332を送信してもよい。
【００３４】
図3はまた、OFDM／OFDMAを利用するワイヤレス通信システム100内で使用されることができる受信機304の一例を例示する。受信機304の部分は、ワイヤレス装置202の受信機212において実装されてもよい。受信機304は、ダウンリンク108上で基地局104からデータ306を受信するため、ユーザ端末106において実装されてもよい。受信機304も、アップリンク110上でユーザ端末106からデータ306を受信するため、基地局104において実装されてもよい。
【００３５】
送信された信号332は、ワイヤレスチャネル334上を伝播しているように図示されている。アンテナ330' によって信号332' が受信されると、この受信された信号332' は、RFフロントエンド328' によってベースバンド信号にダウンコンバートされることができる。ガード除去コンポーネント326' は、ガード挿入コンポーネント326によってOFDM／OFDMAシンボルの間に挿入されたガードインターバルを除去してもよい。
【００３６】
ガード除去コンポーネント326' の出力は、S/P変換器324' に提供されることができる。S/P変換器324'は、OFDM／OFDMAシンボルストリーム322' を、各々がN個の直交サブキャリアのうちの1つに対応するところのＮ個の並列時間ドメインシンボルストリーム318' に分割してもよい。高速フーリエ変換（FFT）コンポーネント320' は、Ｎ個の並列時間ドメインシンボルストリーム318'を周波数ドメインに変換し、Ｎ個の並列周波数ドメインシンボルストリーム316' を出力してもよい。
【００３７】
デマッパ312' は、マッパ312によって行なわれたシンボルマッピングオペレーションの反対を行ない、それによって、Ｎ個の並列データストリーム310'を出力する。P/S変換器308' は、N個の並列データストリーム310'を結合して単一のデータストリーム306'に変換してもよい。理想的には、このデータストリーム306'は、送信機302への入力として提供されたデータ306に対応する。
【００３８】
例示的OFDM／OFDMAフレーム
【００３９】
次に図4Aを参照すると、ここには、時分割多重化（TDD）実装のためのあるOFDM／OFDMAフレーム400が典型的かつ非限定的事例として描かれている。全二重および半二重の周波数分割二重化（FDD）のような他のOFDM／OFDMAフレーム実装が使用されてもよく、その場合には、ダウンリンク（DL）メッセージおよびアップリンク（UL）メッセージの両方が、異なるキャリア上で同時に送信されることを除いて、当該フレームは同一である。TDD実装では、各々のフレームは、DLサブフレーム402およびULサブフレーム404に分割されることができる。これらのフレームは、DLおよびUL送信の衝突を防ぐ目的達成のために、小さなガードインターバル406、またはより具体的には、送信／受信および受信／送信の推移ギャップ（それぞれTTGおよびRTGという）によって分離されることができる。DL対ULサブフレーム比率は、異なるトラヒックプロファイルをサポートするために3：1から1：1まで変更可能である。
【００４０】
OFDM／OFDMAフレーム400内には、様々な制御情報が含まれてもよい。例えば、フレーム400の最初のOFDM／OFDMAシンボルは、プリアンブル408であってもよく、プリアンブル408は、同期化のために使用されるいくつかのパイロット信号（パイロット）を含んでもよい。プリアンブル408内部の固定パイロットシーケンスにより、受信機304は、周波数誤りおよび位相誤りを推定し、送信機302に同期化することができる。さらに、プリアンブル408中の固定パイロットシーケンスは、ワイヤレスチャネルの評価および等化のために利用されることができる。プリアンブル408は、BP/SK調整されたキャリアを含んでもよく、典型的には、1つのOFDMシンボルの長さである。プリアンブル408のキャリアは、電力ブーストされてもよく、典型的には、WiMAX信号中のデータ部分の周波数ドメインの電力レベルより若干のデシベル（ｄＢ）（例えば9ｄＢ）だけ高くされている。使用されるプリアンブルキャリアの数は、ゾーンの3つのセグメントのうちのどれが使用されるかを示してもよい。例えば、キャリア0、3、6．．．は、セグメント0が使用されるべきことを示し、キャリア1、4、7、．．．は、セグメント1が使用されるべきことを示し、およびキャリア2、5、8、．．．は、セグメント2が使用されるべきことを示してもよい。
【００４１】
フレーム制御ヘッダー（FCH）410は、プリアンブル408の後に続いてもよい。FCH 410は、使用可能なサブチャネル、変調および符号化の方式、および現在のOFDM／OFDMAフレームのためのMAPメッセージ長のようなフレーム構成情報を提供してもよい。フレーム構成情報の概要を示すダウンリンクフレームプリフィックス（DLFP）412のようなデータ構造は、FCH  410にマップされることができる。
【００４２】
図4Bにおいて例示されているように、モバイルWiMAXのためのDLFP 412は、使用されているサブチャネル（SCH）ビットマップ412aのための6ビット、0にセットされているリザーブビット412b、繰返し符号化表示412cのための2ビット、符号化表示412dのための3ビット、MAPメッセージ長さ412eのための8ビット、およびDLFP 412中の合計24ビットのために0にセットされた4つのリザーブビット412fを含む。24ビットのDLFPは、FCH 410にマップされる前に、48ビットのブロックを形成するために複製されてもよい。その複製は、最小前方誤り訂正（FEC）ブロックサイズである。
【００４３】
FCH 410に続いて、DL-MAP 414およびUL-MAP 416は、DLおよびULサブフレーム402、404のためにデータバースト割当てと他の制御情報とを指定してもよい。OFDMAの場合、多数のユーザがフレーム内のデータ領域を割り当てられてもよく、またこれらの割当ては、DLおよびUL-MAPメッセージ414、416の中で指定されることができる。MAPメッセージは、各々のユーザに関するバーストプロファイルを含んでもよく、そのプロファイルは、特定リンク中で使用される変調および符号化の方式を定義する。MAPメッセージはすべてのユーザに届く必要のある重要情報を含んでいるので、DLおよびUL-MAPメッセージ414、416は、レート1/2符号化および繰返し符号化を備えたBP/SKまたはQP/SKのような非常に信頼性の高いリンク上で送信されることが多い。OFDM／OFDMAフレームのDLサブフレーム402は、通信されているダウンリンクデータを含む様々なビット長のDLバーストを含んでもよい。このように、DL-MAP 414は、ダウンリンクゾーンに含まれるバーストの位置およびダウンリンクバーストの数、並びに時間（すなわちシンボル）および周波数（すなわちサブチャネル）方向の両方におけるそれらのオフセットおよび長さを記述するものであってもよい。
【００４４】
同様に、ULサブフレーム404は、通信されているアップリンクデータからなる様々なビット長のULバーストを含んでもよい。したがって、ダウンリンクサブフレーム402中の最初のバーストとして送信されたUL-MAP 416は、異なるユーザのためのULバーストの位置に関する情報を含んでもよい。ULサブフレーム404は、図4Aにおいて例示されているような追加の制御情報を含んでもよい。ULサブフレーム404は、DLハイブリッド自動再送要求アクノレッジ(HARQ ACK)をフィードバックするために移動局（MS）について割り当てられるUL ACK 418、および/またはチャネル品質インジケータチャネル（CQICH）に関するチャネル状態情報をフィードバックするためにMSについて割り当てられるUL CQICH 420を含んでもよい。さらに、ULサブフレーム404は、ULレンジングサブチャネル422を含んでもよい。ULレンジングサブチャネル422は、閉ループ時間、周波数およびパワー調節並びにバンド幅要求を行うためにMSについて割当てられてもよい。プリアンブル408、FCH 410、DL-MAP 414およびUL-MAP 416は、全体として、受信機304が受信信号を正しく復調することを可能にする情報を伝えてもよい。
【００４５】
OFDMAの場合、DLにおける送信とULにおける送信とで異なる「モード」を使用することができる。あるモードが使用される時間ドメインのエリアを一般にゾーンという。1つのゾーンタイプは、DL-PUSC（downlink partial usage of subchannel）と呼ばれ、それにとって利用可能なすべてのサブチャネルを使用しなくてもよい（すなわち、DL-PUSCゾーンは、特定のグループのサブチャネルのみを使用すればよい）。合計6つのサブチャネルグループがあって、それらは、最大3つのセグメントに割り当てられることができる。こうして、セグメントは、1つないし6つのサブチャネルグループを含む（例えば、セグメント0は、最初の2つのサブチャネルグループを含み、セグメント1は、次の2つを含み、およびセグメント2は、最後の2つのサブチャネルグループを含む）ことができる。別のゾーンタイプは、DL-FUSC（downlink full usage of subchannels）と呼ばれる。DL-PUSCと異なり、DL-FUSCは、セグメントを使用せず、しかも周波数範囲全域にすべてのバーストを分散することができる。
【００４６】
例示的DL-MAPおよびDL-MAP IE
【００４７】
図4AのDL-MAP 414は、DL-MAP 414の各々のコンポーネントのビット長を例示する図5Bとともに、図5Aにおいてさらに詳細に例示されている。DL-MAP 414は、8ビットの長さを有する管理メッセージタイプ502で始まってもよく、この管理メッセージタイプ502は、制御メッセージがDL-MAPであることを示すために2 (00000010 b)の値を有している。管理メッセージタイプ502の後には、フレーム継続時間コード504（8ビット長）およびフレーム番号506（24ビット長）が続いてもよい。フレーム番号506の後には、8ビット長のダウンリンクチャネル記述子（DCD）カウント508が続いてもよい。DCDカウント508は、8ビット長で、DCD構成変更カウント値と一致するものである。DCDメッセージは、セクタのダウンリンクチャネル構成に適用されるための物理およびメディアアクセス制御（MAC）レイヤ関連のパラメータを指す。DCDカウント508の後には、合計長さ48ビットのために6バイト長の基地局識別子（ＢＳＩＤ）510が続いてもよい。BSID 510は、ネットワーク中の基地局を一義的に識別するものであって、その後には、DLシンボル継続時間512が続いてもよい。このシンボル継続時間512は、DLサブフレーム402中のOFDMAシンボルの数を示し、長さ8ビットを持っている。全体として、このポイントまでのDL-MAP 414の長さは、104ビット（8 + 8 + 24 + 8 + 48 + 8ビット）である。
【００４８】
可変の長さを有するある数（n）のDL-MAP情報要素（IE）514は、DLシンボル継続時間512の後に続いてもよい。一般的DL-MAP IE 514は、ダウンリンク送信の定義のために、DIUC(Downlink Interval Usage Code)516、接続IDのリスト518、およびDLバースト割当て520（例えばサブチャネルオフセット、シンボルオフセット、サブチャネル番号およびシンボル番号）を含んでもよい。0と12の間（両端を含む）のDIUC 516は、DL-MAP IEがDLバーストプロファイル（すなわちバースト中で使用される変調および復号の方式）を提供することを示してもよく、その一方で、14または15のDIUC 516は、DL-MAP IEが制御情報要素であることを示してもよい。13のDIUC 516は、DL-MAP IEが安全ゾーン（すなわちギャップ）およびピーク対平均電力比（PAPR）削減のために使用されることを示してもよい。図5Aには示されていないけれども、DL-MAP 414のいくつかの実施形態は、DL-MAP  414のバイト境界に達する目的達成のために、長さ4ビットのパッドを含んでもよい。
【００４９】
次に図6A-6Cを参照すると、ここには、異なるタイプのDL-MAP IE 514の事例がさらに詳しく例示されている。図6Aは、15、14、または0ないし13に等しいDIUC516値を有するDL-MAP IEを例示している。DIUC 516が0と13の間（両端を含む）の値である場合、図6AのDL-MAP IE  600は、INC_CID（CIDを含む）がCID_SWITCH_IEによって値1にトグルされたかどうかに応じて、接続識別子（CID）のリスト518を含んでもよい。INC_CIDが1に等しい場合、DL-MAP IE 600は、CIDの数を示す8ビット長の値（N_CID）と、このIEに割り当てられる対応する数のCID（各々のCIDは、図7Aに例示されているように16ビットの長さである）とを有してもよい。INC_CIDが0に等しい場合、DL-MAP IE 600は、CIDのリスト518のためにゼロビットの長さを有している。CIDのオプショナルリスト518に続いて、DL-MAP IE 600は、長さ8ビットのOFDMAシンボルオフセット602から構成されることができる。
【００５０】
リンク適応として知られる「適応型変調および符号化」（AMC）は、変調、符号化、並びに他の信号およびプロトコルのパラメータが、ワイヤレスチャネルの状態（例えばチャネル損失、受信機感度、利用可能な送信機パワー、および他の送信機からの干渉）に一致することを表わすものである。DL-MAP IE 600は、使用するAMCのスキームに応じて、少なくとも2つの異なる構造を有してもよい。AMC組合せが2ビン×3シンボルまたは1ビン×6シンボルである場合、DL-MAP IE 600は、長さ8ビットのサブチャネルオフセット604、長さ3ビットのブースティングフィールド606、長さ5ビットのOFDMA 3シンボル数フィールド608、および長さ6ビットのサブチャネル数フィールド610によって、図6Aの上側の構造で形成されることができる。そうでない場合は、DL-MAP IE 600は、長さ6ビットのサブチャネルオフセット612、長さ3ビットのブースティングフィールド614、長さ7ビットのOFDMAシンボル数フィールド616、および長さ6ビットのOFDMAサブチャネル数フィールド618によって、図6Aの下側の構造で形成されることができる。ブースティングフィールド606、614は、ブースティング値を示す様々な3ビット値を有してもよく、ここで、000 bは、ブースティングがないことを示し、001 bは、6ｄＢのブースティングを示し、010 bは、マイナス6ｄＢのブースティングを示し、011 bは、9ｄＢのブースティングを示し、100 bは、3ｄＢのブースティングを示し、101 bは、マイナス3ｄＢのブースティングを示し、110 bは、マイナス9ｄＢのブースティングを示し、および111 bは、マイナス12ｄＢのブースティングを示す。
【００５１】
DL-MAP IE 600は、次に、長さ2ビットの繰返し符号化表示620を含んでもよい。繰返し符号化表示620は、繰返し符号化を示す様々な2ビット値を有してもよい。すなわち、00 bは、繰返し符号化がないことを示し、01 bは、2の繰返し符号化が使用されることを示し、10 bは、4の繰返し符号化が使用されることを示し、および11 bは、6の繰返し符号化が使用されることを示す。したがって、CIDリスト518のないDL-MAP IE 600は、長さ36ビット（4＋8＋22＋2ビット）であってもよく、その一方でCIDリスト518(INC_CID = 1)のあるDL-MAP IE 600は、44 ビット + 16 ビット * N_CIDの長さであってもよい。
【００５２】
図6Bは、DL-MAP拡張 IE 630を例示する。4ビット値の15（1111 b）を有するDIUC 516の後、DL-MAP 拡張 IE 630は、図7Bの中で例示されているような長さ4ビットの拡張 DIUC 632と、長さ4ビットの長さフィールド634と、および長さフィールド634にしたがって様々な長さを有するデータフィールド636とを有してもよい。したがって、DL-MAP拡張 IE 630は、長さ12ビット (4 + 4 + 4 ビット)と長さフィールド634中の値との和（バイト単位）であってもよい。もし拡張 DIUC 632が0に等しかったら、DL-MAP拡張IE 630は、長さフィールド634中の4バイト値とデータフィールド636中の32ビットの対応する長さとを有するOFDMチャネル測定IE638のためのものであってもよい。もし拡張DIUC 632が1に等しかったら、DL-MAP拡張 IE 630は、長さフィールド634中の4バイト値とデータフィールド636中の32ビットの対応する長さとを同じく有する図示のようなOFDMA STC_DL_ZONE IE 640のためのものであってもよい。
【００５３】
図6Cは、DL-MAP拡張-2 IE 660を例示する。4ビット値の14（1110 b）を有するDIUC 516の後、DL-MAP 拡張-2 IE 660は、図7Cの中で例示されているような長さ4ビットの拡張-2 DIUC 662と、長さ4ビットの長さフィールド664と、および長さフィールド664にしたがって様々な長さを有するデータフィールド666とを有してもよい。したがって、DL-MAP 拡張-2 IE 660は、長さ16ビット (4 + 4 +8ビット)と長さフィールド664中の値との和（バイト単位）であってもよい。もし拡張-2 DIUC 662が0に等しかったら、DL-MAP拡張-2 IE 660は、MBS_MAP_IE 668のためのものであってもよい。もし拡張-2 DIUC 662が7 (0111 b)に等しかったら、DL-MAP拡張-2 IE 660は、図示されているようHARQ_DL_MAP_IE 670のためのものであってもよい。
【００５４】
例示的DL-MAP IE復号および構文解析
【００５５】
DL-MAP 414はOFDM／OFDMAフレーム400中のDLデータバーストを復号するためにDL-MAP IE514を含んでいるが、移動局（MS）は、DL-MAPメッセージを誤って受信または解釈するおそれがある。このことは、DL-MAP414に関する誤り検出技法（例えば巡回冗長検査（CRC）またはチェックサム）によって決定可能である。
【００５６】
通常、CRCが失敗しそれゆえにDLデータバーストがそれ以上復号されることができない場合、MSは、DL-MAPメッセージ全体を廃棄する。DL-MAPが複数のシンボルを含んでいるので、失敗の確率は高い。このため、特にスリープ状態から起き上がった移動局に対するDL-MAPメッセージについてのCRCが失敗する場合、パケット誤り率が高くなり、ワイヤレスシステムがスローダウンする。というのは、移動局は、新しいDL-MAPを受信する前に次のページングまで数秒間待たなくてはならないからである。しかしながら、DL-MAPメッセージのCRC失敗は、必ずしもすべてのDL-MAP IEに誤りがあることを意味するものではない。すなわち、いくつかのDL-MAP IEには誤りがないかもしれない。さらに、DL-MAP414は、1つの基地局によって複数の移動局に対してブロードキャストされる。しかし、ある特定の移動局に関係があるのは、ほんの少数のDL-MAP IEのみである。したがって、1つまたは複数の無関係のDL-MAP IEが復号に失敗したとしても、当該特定の移動局に特段の問題は生じないという場合がある。
【００５７】
したがって、本件開示のある実施形態は、DL-MAPメッセージのCRCの失敗が起きたか否かに関係なく、DL-MAP IE の復号を続けることができるようにDL-MAP 414中のDL-MAP IEを構文解析するための方法と装置を提供する。IEEE 802.16x標準準拠の様々なDIUC516に対応する既知のDL-MAP IE構造パターンとビット長の可能性がそのような構文解析オペレーションを可能にすることができる。言い換えれば、（DL-MAPメッセージのCRC失敗に関係なく）復号されているDL-MAP IE のビット値および位置が既知の可能なパターンと一致しない場合、当該DL-MAP IEを無視することができる。
【００５８】
図8は、DL-MAP 414中のDL-MAP IEの構文解析のためのオペレーション800の一例の流れ図を例示する。このオペレーションは、802において始まってよく、また804においてOFDM／OFDMAフレームのDL-MAP414が受信されることができる。いくつかの実施形態については、DL-MAPメッセージのCRCが検査されてもよい。CRCがパスする場合、図8のオペレーション800の残りによるDL-MAPメッセージの構文解析をスキップすることができる。というのは、すべてのDL-MAP IEが有効データを含んでいると仮定されることができるからである。DL-MAP414が長さＬビットのペイロード（i = 0 からL-1までのインデックスが付けられている。LはFCH 410から知られることができる。）を有すると仮定すると、DL-MAPのためのオフセットは、DL-MAP IE（すなわちｉ＝104）に先立って、DL-MAP 414のコンポーネントの既知かつ固定の長さにしたがって、806において初期化されることができる。808において、DIUC 516の4ビット（ｉ、ｉ＋1、ｉ＋2およびｉ＋3）が読まれることができる。
【００５９】
810においてDIUCが0と12の間（両端を含む）にある場合、DL-MAP IE 600の残りが読まれ、またDL-MAP IE 600に対応するDLデータバーストが812において復号されることができる。データバーストがCRCをパスする場合、DLデータバーストは正しく復号される。正しく復号されたDLデータバーストは、開放系システム相互接続基準モデル（ＯＳＩモデル）のより高いレイヤに搬送されることができる。そうでない場合、DLデータバーストは、成功裡に復号されることができず（例えばDL-MAP IE 600またはデータバーストそれ自体における誤りにより）、廃棄される。それとは関係なく、パケット誤り率を低減し、ワイヤレスシステムのスループットを改善する目的達成のために、他のDLデータバーストが復号され、かつ正しく復号されたものとして潜在的に維持されるように、DL-MAPのビットインデックス（ｉ）を更新することができる。
【００６０】
814において、INC_CIDが0に等しい場合、ビットインデックスは、816においてi = i + 36と置換して更新することができる。このことは、DL-MAP IE600が上述のようにCIDのリスト518を含んでいなかったことを示している。対照的に、INC_CIDが1に等しい場合（すなわち0に等しくない場合）、ビットインデックスは、818においてi = i + 44 + 16 * N_CID と置換して更新することができる。このことは、DL-MAP IE600が上述のようにCIDのリスト518を含むことを示している。
【００６１】
810において、DIUC 516が0と12の間（両端を含む）にない場合、DIUCは、DIUCが13に等しいかどうかを決定すべく820において検査されることができる。DIUCが13に等しい場合、DL-MAP IE600の残りは、822において構文解析する（すなわち、DIUC516によって示されるビット構造にしたがって記述し、読む）ことができる。再び、DIUC＝13であるDL-MAP IE 600に関し、INC_CIDが0に等しい場合、ビットインデックスは、816においてi = i + 36と置換して更新することができ、または、INC_CIDが0に等しくない場合、ビットインデックスは、818においてi = i + 44 + 16 * N_CIDと置換して更新することができる。
【００６２】
810および820においてDIUC 516が0と13の間（両端を含む）にない場合、DIUCは、DIUCが14に等しいか決定すべく824において検査されることができる。DIUCが14に等しい場合、DL-MAP 拡張-2 IE 660は、826において構文解析することができる。828において、ビットインデックスは、i = i + 16 + Length * 8と置換して更新することができる。ここで、Lengthは、長さフィールド664中のバイト値である。
【００６３】
810、820および824においてDIUC 516が0と14の間（両端を含む）にない場合、DIUCは、DIUCが15に等しいか決定すべく830において検査されることができる。DIUCが15に等しい場合、DL-MAP 拡張IE 630は、832において構文解析することができる。834において、ビットインデックスは、i = i + 12 + Length * 8と置換して更新することができる。ここで、Lengthは、長さフィールド634中のバイト値である。
【００６４】
上述のようにビットインデックスが816、818、828または834においてDIUC516によって更新された後、ビットインデックスは、IEEE 802.16x標準準拠の可能な限り最短のDL-MAP IEにしたがって、DL-MAPの終わりに達したかどうか(すなわち、i > L-12であるかどうか)決定すべく836において検査されることができる。まだ終わりに達していない（すなわちi < = L-12である）場合、オペレーション800は、808において次のDIUC516を読み出すことから始めることを繰り返すことができる。終わりに達してしまった場合、DL-MAP 414を構文解析するオペレーション800は、838において終了することができる。
【００６５】
図8のオペレーション800を用いることによって、DL-MAP IEは、通常のようにDL-MAPメッセージ全体を廃棄するのではなく、DL-MAPメッセージのCRC失敗に関係なく、移動局によって復号され続けられることができる。このようにして、パケット誤り率を低減し、ワイヤレスシステムのスループットを改善することができる。DIUCに対応する構造および/またはビット長さにしたがって、新規または現在のDIUC値を用いて新規のDL-MAP IE構成を記述するために、IEEE 802.16x標準が変更されるので、オペレーション800は、調節可能である。
【００６６】
例示的UL-MAPおよびUL-MAP IE
【００６７】
図4AのUL-MAP 416は、UL-MAP 416の各々のコンポーネントのビット長さを例示する図9Bとともに図9Aにおいてさらに詳細に例示される。UL-MAP 416は、長さ8ビットの管理メッセージタイプ902から始まってもよい。管理メッセージタイプ902は、制御メッセージがUL-MAPであることを示すために3 (00000011 b)の値を有している。管理メッセージタイプ902の後に、リザーブフィールド904中の8ビットが続いてもよい。リザーブフィールド904の後に、アップリンクチャネル記述子（UCD）カウント906が続いてもよい。このカウント906は、長さが8ビットであって、UCD構成変更カウント値と一致する。UCDメッセージは、セクタのアップリンクチャネル構成に適用される物理およびメディアアクセス制御（MAC）レイヤ関連パラメータを指す。UCDカウント906の後に、長さ32ビットの割当て開始タイム908とシンボル数フィールド910とが続いてもよい。このシンボル数フィールド910は、ULサブフレーム404中のOFDMAシンボルの数を示し、長さ8ビットを有している。ここまでのUL-MAP 416の長さは、全部あわせて、64ビット（8 + 8 + 8 + 32 + 8ビット）である。
【００６８】
可変の長さを有するある数（n）のUL-MAP情報要素（IE）912は、シンボル数フィールド910の後に続いてもよい。一般的UL-MAP IE 912は、接続識別子（CID）とアップリンクインターバル使用コード（UIUC）とを具備し、アップリンク送信を定義するために使用されることができる。図9Aには示されていないが、UL-MAP 416のいくつかの実施形態は、UL-MAP 416のバイト境界に達する目的達成のために、長さ4ビットのパッディングを含んでもよい。
【００６９】
次に図10を参照すると、ここにおいて、図11AないしEで例示されているように、UL-MAP IE 912は、長さ16ビットのCID 1002を含んでもよい。CID 1002の後に、UIUC 1004が続いてもよい。UIUC 1004は、例えば、図10中のOFDMA UIUC値のテーブルにしたがって各々のCID 1002のための使用を決定する。UL-MAP IE 912は、UIUC 1004に応じて様々な長さを有してもよい。UIUC 1004の長さは、4ビットである。
【００７０】
1と10の間（両端を含む）のUIUC 1004を有するUL-MAP IE 1000A において、ULバーストプロファイル（例えば変調および符号化の方式）が示されてもよい。図10に例示されているように、UIUC 1004の後に、図11Ａ中に示されるような長さ10ビットの継続時間1006が続いてもよい。OFDMAスロットの単位を有する継続時間1006の後に、長さ2ビットの繰返し符号化表示1008が続いてもよい。繰返し符号化表示1008は、繰返し符号化を示す様々な2ビット値を有してもよい。すなわち、00bは、繰返し符号化がないことを示し、01 bは、2の繰返し符号化が使用されることを示し、10 bは、4の繰返し符号化が使用されることを示し、11 bは、6の繰返し符号化が使用されることを示す。いくつかのUL-MAP IE1000Aについて、適応型アンテナシステム（AAS）またはAMC  ULゾーンが使用される場合、繰返し符号化表示1008の後に、長さ12ビットのスロットオフセット1010が続いてもよい。したがって、AAS またはAMC ULゾーンが使用されないUL-MAP IE 1000Aは、32ビット（16 + 4 + 10 + 2ビット）の長さであってよく、一方、AAS またはAMC ULゾーンが使用されるUL-MAP IE 1000Aは、44ビット（16 + 4 + 10 + 2 + 12ビット）の長さであってもよい。
【００７１】
UL-MAP 拡張-2 IE 1000Bは、図10に例示されるように、11に等しいUIUC 1004を有してもよい。UL-MAP 拡張-2 IE 1000Bにおいて、UIUC 1004の後に、拡張-2情報要素1012が続いてもよい。この拡張-2情報要素1012は、図11Bに例示されているように、長さ4ビットの拡張-2のUIUC、長さ8ビットの長さフィールド、および長さフィールドに応じた可変長を有するデータフィールドを含んでもよい。したがって、UL-MAP 拡張-2 IE 1000Bは、長さ32ビット（16 + 4 + 4 + 8ビット）と長さフィールド中の値の8倍との和であってもよい。
【００７２】
UL-MAP 拡張 IE 1000Cは、図10に例示されているように、15に等しいUIUC 1004を有してもよい。UL-MAP 拡張 IE 1000Cにおいて、UIUC 1004の後に、拡張情報要素1014が続いてもよい。拡張情報要素1014は、図11Cに例示されているように、長さ4ビットの拡張 UIUC、長さ4ビットの長さフィールド、および長さフィールドに応じた可変長を有するデータフィールドを含んでもよい。したがって、UL-MAP拡張IE 1000Cは、28ビット（16 + 4 + 4 + 4ビット）の長さと長さフィールド中の値の8倍との和であってもよい。
【００７３】
13に等しいUIUC 1004は、図10に例示されているように、PAPR削減および安全ゾーンのためのUL-MAP IE 1000Dを示してもよい。そのようなUL-MAP IE 1000Dにおいて、UIUC 1004の後に、図11Ｄにおいて例示されているように、長さ32ビットのPAPR_Reduction_Safety_Sounding_Zone_Allocation_IE 1016が続いてもよい。したがって、13に等しいUIUCを備えたUL-MAP IE 1000Dは、長さ52ビット（16 + 4 + 32ビット）であってもよい。0に等しいUIUC 1004は、高速フィードバックチャネル用のUL-MAP IEを示してもよい。このUL-MAP IEは、チャネル品質表示（CQI）のためのULゾーンを提供する。さらに、12に等しいUIUC 1004は、ULゾーンにおける符号分割多元接続（CDMA）レンジングおよびバンド幅要求のためのUL-MAPを示してもよい。UIUC 1004に続くデータもまた、UIUC = 0 または 12のUL-MAP IE中の長さ32ビットのデータであってもよいので、UIUC = 0 または 12のそのようなUL-MAP IEは、UIUC = 13のUL-MAP IE 1000Dと同じフォーマットを有してもよく、したがって、52ビットの長さを有してもよい。
【００７４】
14に等しいUIUC 1004は、図10に例示されているように、CDAMA割当てのためにUL-MAP IE 1000Eを示してもよい。そのようなUL-MAP IE 1000Eにおいて、UIUC 1004の後に、図11Ｅに例示されているように、長さ40ビットのCDMA_Allocation_IE 1018が続いてもよい。したがって、UIUC = 14のUL-MAP IE 1000E は、60ビット(16 + 4 + 40 ビット)の長さであってもよい。
【００７５】
例示的UL-MAP復号および構文解析
【００７６】
UL-MAP 416はOFDM/OFDMA フレーム400におけるULバースト割当てを表わすUL-MAP IE912を含んでいるけれど、特にUL-MAP 416を含んでいるDLデータバーストのためのDL-MAP IEが誤って解釈される場合、移動局（MS）は、UL-MAPメッセージを含んでいるデータバーストを誤って受信または解釈するかもしれない。UL-MAPにおけるそのような誤りは、UL-MAP 416のために巡回冗長検査（CRC）またはチェックサムのような誤り検知技術によって決定されることができる。
【００７７】
通常は、CRCが失敗すると、MSはUL-MAPメッセージ全体を廃棄する。このことは、特にスリープモードから起き上がる移動局に対するUL-MAPメッセージのCRCが失敗する場合にあっては、高いパケット誤り率をもたらし、ワイヤレスシステムをスローダウンする。このスローダウンは、新規のUL-MAPを受信する前に次のページングまで数分間待機することを付随する。しかしながら、UL-MAPメッセージのCRC失敗は、必ずしもすべてのUL-MAP IEが誤りを有していることを意味するものではない。UL-MAP IEのうちのいくつかには誤りがない可能性がある。さらに、UL-MAP 416は、1つの基地局によって複数の移動局に対してブロードキャストされる。しかし、特定の移動局に関係するのは、ほんの少数のUL-MAP IEだけである。したがって、1つまたは複数の無関係のUL-MAP IEの復号が失敗したとしても、当該特定の移動局にとっては重要な問題ではない。
【００７８】
したがって、本件開示のある実施形態は、UL-MAPメッセージのCRC失敗の生起に関係なく、UL-MAP IEを復号し続けることができるように、UL-MAP416中のUL-MAP IEを構文解析するための方法および装置を提供する。IEEE 802.16x標準に準拠する様々なUIUC1004に対応する既知のUL-MAP IE構造パターンとビット長の可能性が、そのような構文解析オペレーションを可能にすることができる。言い換えれば、（UL-MAPメッセージのCRC失敗に関係なく）復号されているUL-MAP IEのビット値および位置が既知の可能なパターンと一致しない場合、当該UL-MAP IEは、無視することができる。
【００７９】
図12は、UL-MAP 416中のUL-MAP IEを構文解析するオペレーション1200の一例の流れ図を例示している。このオペレーションは、DL-MAP IEを構文解析する図8のオペレーション800と類似している。オペレーションは、1202で始まってもよい。また、OFDM／OFDMAフレームのUL-MAP 416は、1204において、典型的に最初のDLデータバーストとして、受信されてもよい。たとえDL-MAPメッセージのCRCが失敗したとしても、DL-MAP414を構文解析する上述の技術は、UL-MAP416を含むDLデータバーストを正しく識別する目的達成のために利用されることができる。いくつかの実施形態については、UL-MAPメッセージのCRCが検査されてもよい。CRCがパスしたら、図12のオペレーション1200の残りによるUL-MAPメッセージの構文解析は、スキップすることができる。というのは、すべてのUL-MAP IEは、有効データを含んでいると仮定することができるからである。
【００８０】
UL-MAP 416が長さＬビットのペイロード（i = 0 からL-1までのインデックスが付けられている。LはUL-MAP に対応するDL-MAP IEから知られることができる。）を有すると仮定すると、UL-MAPのためのオフセットは、UL-MAP IE（すなわちｉ＝64）に先立って、UL-MAP 416のコンポーネントの既知かつ固定の長さにしたがって、1206において初期化されることができる。1208において、UIUC 1004の4ビット（ｉ＋16、ｉ＋17、ｉ＋18およびｉ＋19）が読まれることができる。
【００８１】
1210においてUIUCが1と10の間（両端を含む）にある場合、UL-MAP IE 1000Aの残りが読まれ、そして1212において、UL-MAP IE 1000Aにしたがって、ULデータバーストのためのOFDM/OFDMAスロットが割り当てられることができる。UL-MAP IE 1000AのCID 1002が1204においてUL-MAPを受信した移動局に対応する場合、ULデータバーストは、続いて符号化され、その移動局から基地局に送信されることができる。パケット誤り率を低減し、ワイヤレスシステムのスループットを改善する目的達成のために、ULバーストデータのために他のスロットが割り当てられるように、UL-MAPのビットインデックス（ｉ）が更新されることができる。
【００８２】
1214において、AASまたはAMC ULゾーンが示される場合、ビットインデックスは、1216においてi = i + 44と置換して更新することができる。このことは、UL-MAP IE 1000A が上述のようにスロットオフセット1010を含んでいることを示している。対照的に、AAS またはAMC ULゾーンのどちらも示されない場合、ビットインデックスは、1218においてi = i + 32 と置換して更新することができる。このことは、UL-MAP IE 1000A がスロットオフセット1010を含んでいないことを示している。
【００８３】
1210においてUIUC 1004が1と10の間（両端を含む）にない場合、UIUCは、UIUCが0、12、または13に等しいかどうか決定すべく1220において検査されることができる。UIUCが0、12、または13に等しい場合、UL-MAP IEの残りは、1222において構文解析する（すなわち、UIUC1004によって示されるビット構造にしたがって記述し、読む）ことができる。1224において、ビットインデックスは、例えばUL-MAP IE 1000Dについて上述したように、UL-MAP IEに対応する長さで（i = i + 52と置換して）更新することができる。
【００８４】
1210および1220においてUIUC 1004が0と10の間（両端を含む）になく、また12または13に等しくない場合、UIUCは、UIUCが14に等しいかどうか決定すべく1226において検査されることができる。UIUCが14に等しい場合、UL-MAP IE 1000Eの残りは、1228において構文解析することができる。1230において、ビットインデックスは、ｉ＝ｉ＋60と置換して更新することができる。
【００８５】
1210、1220および1226においてUIUC 1004が0と10の間（両端を含む）になく、また12と14の間（両端を含む）にもない場合、UIUCは、UIUCが11に等しいかどうか決定すべく1232において検査されることができる。UIUCが11に等しい場合、UL-MAP拡張-2 IE 1000Bは、1234において構文解析することができる。1236において、ビットインデックスは、i = i + 32 + Length * 8と置換して更新することができる。ここで、Lengthは、拡張-2 IE 1012の長さフィールド中のバイト値である。
【００８６】
1210、1220、1126および1232においてUIUC 1004が0と14の間（両端を含む）にない場合、UIUCは、UIUCが15に等しいかどうか決定すべく1238において検査されることができる。UIUCが15に等しい場合、UL-MAP 拡張 IE 1000Cの残りは、1240において構文解析することができる。1242において、ビットインデックスは、i = i + 28 + Length * 8と置換して更新することができる。ここで、Lengthは、拡張 IE 1014の長さフィールド中のバイト値である。
【００８７】
上述のようにビットインデックスが1216, 1218, 1224, 1230, 1236, または 1242においてUIUC 1004によって更新された後、ビットインデックスは、IEEE 802.16x標準準拠の可能な限り最短のDL-MAP IEにしたがって、UL-MAPの終わりに達したかどうか(すなわち、i > L-28であるかどうか)決定すべく1244において検査されることができる。まだ終わりに達していない（すなわちi < = L-28である）場合、オペレーション1200は、1208において次のUIUC 1004を読み出すことから始めることを繰り返すことができる。終わりに達してしまった場合、UL-MAP 416を構文解析するオペレーション1200は、1246において終了することができる。
【００８８】
図12のオペレーション1200を用いることによって、UL-MAP IEは、通常のようにUL-MAPメッセージ全体を廃棄するのではなく、UL-MAPメッセージのCRC失敗に関係なく、移動局によって復号され続けられることができる。このようにして、パケット誤り率を低減し、ワイヤレスシステムのスループットを改善することができる。UIUCに対応する構造およびビット長さにしたがって、新規または現在のUIUC値を用いて、新規のUL-MAP IE構成を記述するために、IEEE 802.16x標準が変更されるので、オペレーション1200は、調節可能である。
【００８９】
MAP IE構文解析の概観
【００９０】
図13は、MAPメッセージに誤りがないかの検査の結果が失敗であるかどうかに関係なく、ULまたはDL-MAPメッセージを構文解析する例示的オペレーション1300の流れ図を例示している。このオペレーションは、MAPメッセージを受信することによって、1302において始まってもよい。MAPメッセージは、上述のように、OFDM／OFDMAフレーム400のDL-MAP 414 または UL-MAP 416 から復号されることができる。1304において、受信MAPメッセージに対し、誤り検査が行なわれてもよい。例えばMAPメッセージの一連のビットは、たとえMAPメッセージのための誤り検査が失敗したとしても、1306において構文解析されて複数のMAP IEに変換されることができる。この構文解析は、各々のMAP IE中のDIUCまたはUIUCのような、MAP IEのタイプ、構造、および／または長さを示す1つまたは複数のビットにしたがって行われることができる。いくつかの実施形態については、CRCがパスしたら、MAPメッセージの構文解析は、スキップすることができる。というのは、すべてのUL-MAP IEが有効データを含んでいる可能性が十分高いからである。このようにして、誤り検出に対してMAPメッセージ全体を廃棄する従来の方法とは対照的に、MAPメッセージ誤り検査の失敗に関係なく、MAP IEの復号を継続することができる。
【００９１】
上述の図13のオペレーション1300は、図13Ａ中に例示されている手段プラス機能のブロック1300Ａに対応する様々なハードウェアおよび／またはソフトウェアのコンポーネントおよび／またはモジュールによって行なわれることができる。言い換えれば、図13に例示されているブロック1302ないし1306は、図13Ａ中に例示されている手段プラス機能のブロック1302Ａに対応する。
【００９２】
本件明細書において使用されているように、「決定」（determining）という用語は、種々様々のアクションを包含する。例えば、「決定」は、計算、コンピュータ計算、処理、導出、調査、参照（例えば、テーブル、データベースまたは他のデータ構造を参照すること）、確認および同様のものを含むことができる。さらに、「決定」は、受信（情報の受信）、アクセス（メモリ中のデータへのアクセス）および同様のものを含むことができる。さらに、「決定」は、解決、選択、選定、確立、および同等のものを含むことができる。
【００９３】
情報および信号は、様々な異なる技術および技法のうちのいずれかのものを使用して表現することができる。例えば、上記記載全体を通じて参照されることができるデータ、命令、コマンド、情報、信号、および同様のものは、電圧、電流、電磁波、磁場または磁粒子、光波動場または光粒子、またはこれらのものの何らかの組み合わせによって表現されることができる。
【００９４】
本件開示に関連して説明された様々な例示的な論理ブロック、モジュール、および回路は、汎用目的プロセッサ、デジタル信号プロセッサ(DSP)、特定用途向けのIC(ASIC)、フィールドプログラマブルゲートアレイ(FPGA)または他のプログラマブル論理デバイス（PLD）、離散的ゲートまたはトランジスタ論理、離散的ハードウェアコンポーネント、またはこれらのものの何らかの組み合わせであって本明細書記載の機能を実現するように設計されたものによって実装されることができる。汎用目的プロセッサは、マイクロプロセッサであってもよいが、その代わりに、任意の市販のプロセッサ、コントローラ、マイクロコントローラ、またはステートマシンであってもよい。プロセッサは、計算装置の組み合わせとして、例えば、DSPとマイクロプロセッサとの組み合わせ、複数のマイクロプロセッサ、DSPコアと結合した1つまたは複数のマイクロプロセッサ、または他の任意の同様の機器構成として、実装されることもできる。
【００９５】
本明細書における開示に関連して説明された方法またはアルゴリズムのステップは、ハードウェア、プロセッサによって実行されるソフトウェアモジュール、またはその2つの組み合わせにおいて直接具体化されることができる。ソフトウェアモジュールは、本件技術分野において知られている任意の形式の記憶媒体中に駐在するものであってもよい。使用されることができる記憶媒体のいくつかの例は、ランダムアクセスメモリ（RAM）、読み出し専用メモリ（ROM）、フラッシュメモリ、EPROMメモリ、EEPROMメモリ、レジスタ、ハードディスク、リムーバブルディスク、CD-ROM等々を含んでいる。ソフトウェアモジュールは、単一の命令、または複数の命令を含むことができ、またいくつかの異なるコードセグメント上に、異なるプログラムの間で、および多数の記憶媒体にわたって分散されることができる。記憶媒体は、プロセッサが記憶媒体から情報を読み取る、または記憶媒体に情報を書き込むことができるように、プロセッサと結合されることもできる。その代わりに、記憶媒体がプロセッサと一体化されていてもよい。
【００９６】
本件明細書開示の方法は、説明された方法を達成する1つまたは複数のステップまたはアクションを含んでいる。本件方法のステップおよび/またはアクションは、特許請求の範囲から逸脱することなく、相互交換可能である。言い換えれば、特定のステップまたはアクションの順序が指定されていないかぎり、特定のステップおよび/またはアクションの順序および/または使用は、特許請求の範囲から逸脱することなく修正されることができる。
【００９７】
説明されている機能は、ハードウェア、ソフトウェア、ファームウェアまたはこれらのもののいずれかの組み合わせの中で実装されてもよい。ソフトウェア実装の場合、当該機能は、1つまたは複数の命令として、コンピュータ可読媒体上で記憶または伝送されることもできる。記憶媒体は、コンピュータまたは1つまたは複数の処理装置によってアクセス可能な何らかの利用可能な媒体であってよい。実例として、かつ非制限的列挙として、そのようなコンピュータ可読媒体は、RAM、ROM、EEPROM、CD-ROMまたは他の光ディスク記憶、磁気ディスク記憶または他の磁気記憶デバイス、もしくは、任意の他の媒体であって、命令またはデータ構造の形式において所望のプログラムコード手段を伝達または記憶するために使用可能で、かつ汎用目的コンピュータまたは特殊目的コンピュータもしくは汎用目的プロセッサまたは特殊目的プロセッサによってアクセス可能な媒体を含むことができる。本明細書において使用されるディスク（disk and disc）は、コンパクトディスク（CD）、デジタルバーサタイルディスク(DVD)、フレキシブルディスクおよびブルーレイ(登録商標)ディスクを含む。ここで、diskは、通常、データを磁気的に再生するものをいい、discは、レーザを用いてデータを光学的に再生するものをいう。
【００９８】
ソフトウェアまたは命令はまた、伝送媒体上で送信されるものであってもよい。例えば、もしソフトウェアがウェブサイト、サーバ、または他の離れた情報源から、同軸ケーブル、光ファイバケーブル、ツイストペアケーブル、デジタル加入者線(DSL)またはワイヤレス技術（例えば、赤外線、無線およびマイクロ波など）を使用して送信されるのであれば、そうした同軸ケーブル、光ファイバケーブル、ツイストペアケーブル、DSLまたはワイヤレス技術（例えば、赤外線、無線およびマイクロ波など)もまた、媒体の定義に含まれる。
【００９９】
さらに、本件明細書記載の方法および技術を実行するモジュールおよび/または他の適切な手段は、ユーザ端末および/または適用可能な場合基地局によってダウンロードおよび/またはそうでなければ取得されることができるということが正しく認識されるべきであろう。例えば、そのようなデバイスは、本件明細書記載の方法を実行するための手段の転送を円滑に行なうために、サーバに接続されることもできる。もしくは、本件明細書記載の様々な方法は、ユーザ端末および/または基地局が記憶手段（例えば、RAM、ROMや、コンパクトディスク（CD）またはフレキシブルディスク等の物理的記憶媒体など）をデバイスに接続または提供することによって当該様々な方法を取得することができるように、記憶手段によって提供されることもできる。さらに、本件明細書記載の方法および技術をデバイスに提供するための他の適切な技術を利用することもできる。
【０１００】
特許請求の範囲は、上に例示された正確な構成およびコンポーネントに限られるものではないことが理解されるべきである。様々な修正、変化、および変形は、特許請求の範囲から逸脱することなく、上述の方法および装置の配置、操作、および詳細の中にあることができる。
【図１】
2011523536.tif 000003
【図２】
2011523536.tif 000004
【図３】
2011523536.tif 000005
【図４Ａ】
2011523536.tif 000006
【図４Ｂ】
2011523536.tif 000007
【図５Ａ】
2011523536.tif 000008
【図５Ｂ】
2011523536.tif 000009
【図６Ａ】
2011523536.tif 000010
【図６Ｂ】
2011523536.tif 000011
【図６Ｃ】
2011523536.tif 000012
【図７Ａ】
2011523536.tif 000013
【図７Ｂ】
2011523536.tif 000014
【図７Ｃ】
2011523536.tif 000015
【図８】
2011523536.tif 000016
【図９Ａ】
2011523536.tif 000017
【図９Ｂ】
2011523536.tif 000018
【図１０】
2011523536.tif 000019
【図１１Ａ】
2011523536.tif 000020
【図１１Ｂ】
2011523536.tif 000021
【図１１Ｃ】
2011523536.tif 000022
【図１１Ｄ】
2011523536.tif 000023
【図１１Ｅ】
2011523536.tif 000024
【図１２】
2011523536.tif 000025
【図１３】
2011523536.tif 000026
【図１３Ａ】
2011523536.tif 000027
【国際調査報告】
2011523536.tif 000028
2011523536.tif 000029